(57)【特許請求の範囲】
【請求項１】
暗号化されたデジタル映像信号を筐体蓋と筐体本体で囲われた筐体内部に設けたデコード回路に入力し、前記デコード回路で暗号を解読した後のデジタルもしくはアナログ映像信号を筐体内部に位置する映像表示部において視覚化するテレビジョン受像機であって、
前記筐体蓋の開閉状態を検出する蓋開閉検出器と、
該蓋開閉検出器の出力に応じて前記デコード回路へ供給される電源電圧を制御するスイッチとを備え、
前記蓋開閉検出器の出力が前記筐体蓋が閉じている状態を示すときに前記スイッチを経由して前記デコード回路へ電源を供給し、前記蓋開閉検出器の出力が前記筐体蓋が開いている状態を示すときに前記デコード回路への電源の供給を前記スイッチにより遮断する、
ことを特徴とするテレビジョン受像機。
【請求項２】
暗号化されたデジタル映像信号を筐体蓋と筐体本体で囲われた内部に設けたデコード回路に入力し、前記デコード回路で暗号を解読した後のデジタルもしくはアナログ映像信号を筐体内部に位置する映像表示部において視覚化するテレビジョン受像機であって、
前記筐体蓋の開閉状態を検出する蓋開閉検出器と、
前記筐体本体の外部に設けられた入力手段と、
前記蓋開閉検出器の出力と前記入力手段からの入力によって前記デコード回路のデコードパラメータを制御するデコード制御回路とを備え、
前記蓋開閉検出器の出力が前記筐体蓋が閉じている状態を示すとき、および前記入力手段より所定の入力があったとき前記デコード制御回路がデコード動作を行うパラメータを前記デコード回路へ出力し、前記入力手段より前記所定の入力がなく、かつ前記蓋開閉検出器の出力が前記筐体蓋が開いている状態を示すとき前記デコード制御回路がデコード動作を停止するパラメータを前記デコード回路へ出力する、
ことを特徴とするテレビジョン受像機。
【請求項３】
請求項１または請求項２記載のテレビジョン受像機において、
前記蓋開閉検出器は、
コード列生成回路と、
該コード列生成回路からの電気信号を光へ変換する発光器と、
光信号を電気信号へ変換する受光器と、
前記筐体蓋が閉じているときに前記発光器から出力された光を前記受光器へ導光する導光器と、
前記受光器からの電気信号を復調する復調回路と、
前記コード列生成回路と前記復調回路の出力同士を比較し両者が一致するとき前記筐体蓋が閉じている状態を示す信号を出力する比較回路とを備えた、
ことを特徴とするテレビジョン受像機。
【請求項４】
請求項１または請求項２記載のテレビジョン受像機において、
前記蓋開閉検出器は、
蓄電手段と、
該蓄電手段を充電する充電手段と、
前記筐体蓋を開けたときに前記蓄電手段を放電する放電手段と、
前記蓄電手段が放電されたことを認識し前記筐体蓋の開放を検出する開放検出手段とを備えた、
ことを特徴とするテレビジョン受像機。
【請求項５】
筐体蓋と筐体本体で囲われた筐体内部に電子デバイスを備えた電子デバイス装置において、
蓄電手段と、
該蓄電手段を充電する充電手段と、
前記筐体蓋を開けたときに前記蓄電手段を放電する放電手段と、
前記蓄電手段が放電されたことを認識し前記筐体蓋の開放を検出する開放検出手段と、
前記蓄電手段が放電された回数を記憶する放電回数記憶手段とを備えた、
ことを特徴とする電子デバイス装置。
【請求項６】
請求項５記載の電子デバイス装置において、
前記放電回数記憶手段に記憶された放電回数が所定回数となったときに当該電子デバイス装置の動作を制限する動作制限手段を備えた、
ことを特徴とする電子デバイス装置。
【請求項７】
請求項５記載の電子デバイス装置において、
前記筐体内部または前記筐体外部に設けられた表示装置により表示を行なう表示手段と、
前記放電回数記憶手段に記憶された放電回数が所定回数となったときに前記表示手段が通常とは異なる表示を行なうように制御する制御手段とを備えた、
ことを特徴とする電子デバイス装置。
【請求項８】
筐体蓋と筐体本体で囲われた筐体内部に自己のＩＤを有する交換可能な電子デバイスを含む電子デバイス装置において、
蓄電手段と、
該蓄電手段を充電する充電手段と、
前記筐体蓋を開けたときに前記蓄電手段を放電する放電手段と、
前記蓄電手段が放電されたことを認識し前記筐体蓋の開放を検出する開放検出手段と、
前記筐体蓋の開閉があったと認識されたときに前記電子デバイスの前記筐体蓋の開閉の前後のＩＤを比較するＩＤ比較手段とを備えた、
ことを特徴とする電子デバイス装置。
【請求項９】
請求項８記載の電子デバイス装置において、
前記筐体蓋の開閉の後の前記電子デバイスのＩＤが、前記筐体蓋の開閉の前の前記電子デバイスのＩＤと同じかそれよりも古いＩＤであるとき、当該電子デバイス装置の動作を制限する動作制限手段を備えた、
ことを特徴とする電子デバイス装置。
【請求項１０】
請求項８記載の電子デバイス装置において、
前記筐体内部または前記筐体外部に設けられた表示装置により表示を行なう表示手段と、
前記筐体蓋の開閉の後の前記電子デバイスのＩＤが、前記筐体蓋の開閉の前の前記電子デバイスのＩＤと同じかそれよりも古いＩＤであるとき、前記表示手段が通常とは異なる表示を行なうように制御する制御手段とを備えた、
ことを特徴とする電子デバイス装置。
【発明の詳細な説明】
【技術分野】
【０００１】
本発明は、暗号化されたデジタル映像信号を解読した後のデジタル映像信号、もしくは、アナログ映像信号に対して著作権保護を図るテレビジョン受像機に関するものである。
【背景技術】
【０００２】
映像信号を暗号化して伝送し、受信機側で暗号を解いて表示する技術は、映像信号の複製を防止し著作権を保護する、あるいは、有料放送における公平性を保つ観点において、実用に供されている。
【０００３】
しかし、受信機に対して改造を施し、暗号を解いた後の映像信号を取り出し複製を作成すると、前述の著作権保護や公平性を保てなくなる。
【０００４】
図１０は、例えば特許文献１に開示された、暗号化された映像信号を解読する暗号化映像解読用アダプタと映像表示装置の２つの筐体とその内部の構成を示すブロック図である。図において、３２０は暗号化映像解読用アダプタ、３５０は映像表示装置、３２４は信号処理回路、３４０はＡＣ／ＤＣ変換回路、３３７は電力計または電流計、３３８は基準値、３３９は比較器、３４１はＳＷ、３２８は暗号を解かれたアナログ映像信号、３５５は映像表示装置３５０に電力を供給するためのパワーコードである。また、３３５は暗号化映像解読用アダプタ３２０内のＡＣコネクタであり、電力計または電流計３３７に接続されている。
【０００５】
図１０において、暗号化映像解読用アダプタ３２０と映像表示装置３５０は別筐体であり、映像表示装置３５０の電力は、パワーコード３５５を介して、暗号化映像解読用アダプタ３２０内のＡＣコネクタ３３５から供給される。
【０００６】
暗号を解かれたアナログ映像信号３２８が映像表示装置３５０へ入力されずに、別の録画機器に接続された場合、電力計または電流計３３７が計測した電力もしくは電流は、映像表示装置３５０が消費する電力または電流と異なる結果を示す。
【０００７】
この結果、比較器３３９の出力は、ＳＷ３４１をオフする状態となり、ＡＣ／ＤＣ変換回路３４０で作成されたＤＣ電圧は、信号処理回路３２４へ伝達されなくなり、暗号解読動作は停止する。
【０００８】
上記の動作によって、暗号を解かれたアナログ映像信号３２８が前述の映像表示装置３５０へ入力されずに、図１０に示していない他の機器に接続された場合、暗号解読が停止し、著作権の保護を図ることが可能となる。
【０００９】
また、一般にデジタルテレビジョン受信装置においては、映像を表示するディスプレイパネル部に対し、デジタルデータをデコードするデジタルデコーダ部の高性能化が速いため、デジタルデコーダ部が陳腐化してしまうという課題があり、デジタルデコーダ部のみ交換しハードウェアのバージョンアップが可能となる構造が求められると予想される。そして、ユーザーにてハードウェアのバージョンアップを許可した場合、ユーザーが電子機器のカバーを開いて筐体内部の電子デバイスを交換することとなる。
【００１０】
ここで、従来の電子機器のカバーの開閉検出は、機器の改ざん防止のみを目的としており、例えば、特許文献２に開示されるように、一度の検出で機器の改ざんと判断し機器が使用できなくなる仕組みになっている。
【特許文献１】特開２００３−１５２７０１号公報
【特許文献２】特開２００２−７２１５号公報
【発明の開示】
【発明が解決しようとする課題】
【００１１】
図１０に示す暗号解読システムにおいては、暗号解読部と映像表示部とが別筐体で、かつ、各々の筐体へＡＣ電源を供給する構成となっているため、暗号解読部と映像表示部とが１つの筐体に格納されているテレビジョン受像機においては、適用できないという問題点があった。
【００１２】
また、ユーザーが電子機器のカバーを開いて筐体内部の電子デバイスを交換する場合に、デジタルテレビジョン受信装置内のデータの漏洩を防ぐセキュリティー確保の仕組みが必要となるが、上述のように従来の電子機器のカバーの開閉検出は、機器の改ざん防止のみを目的としており、一度の検出で機器の改ざんと判断し機器が使用できなくなる仕組みになっているため、ユーザーが筐体内部のデバイスを交換するシステムには適用できない。また、従来の電子機器のカバーの開閉検出は、カバーの開閉を検出するためには常に機器が通電状態でなければならず、非通電状態にできる機器においてはカバーの開閉を検出することができないという問題があった。
【００１３】
この発明は上記のような問題点を解消するためになされたもので、暗号解読部と映像表示部とが１つの筐体に格納されているテレビジョン受像機において、暗号化されたデジタル映像信号もしくは、アナログ映像信号に対して著作権保護を図ることのできるテレビジョン受像機を提供することを目的とする。
【００１４】
また、機器の非通電状態においてもカバーの開閉を検出することができ、ユーザーが電子機器のカバーを開いて筐体内部のデバイスを交換する場合に、デジタルテレビジョン受信装置内のデータの漏洩を効果的に防ぐことのできるテレビジョン受信装置を提供することを目的とする。
【課題を解決するための手段】
【００１５】
この発明（請求項１）にかかるテレビジョン受像機は、暗号化されたデジタル映像信号を筐体蓋と筐体本体で囲われた筐体内部に設けたデコード回路に入力し、前記デコード回路で暗号を解読した後のデジタルもしくはアナログ映像信号を筐体内部に位置する映像表示部において視覚化するテレビジョン受像機であって、前記筐体蓋の開閉状態を検出する蓋開閉検出器と、該蓋開閉検出器の出力に応じて前記デコード回路へ供給される電源電圧を制御するスイッチとを備え、前記蓋開閉検出器の出力が前記筐体蓋が閉じている状態を示すときに前記スイッチを経由して前記デコード回路へ電源を供給し、前記蓋開閉検出器の出力が前記筐体蓋が開いている状態を示すときに前記デコード回路への電源の供給を前記スイッチにより遮断する、ことを特徴とするものである。
【００１６】
この発明（請求項２）にかかるテレビジョン受像機は、暗号化されたデジタル映像信号を筐体蓋と筐体本体で囲われた内部に設けたデコード回路に入力し、前記デコード回路で暗号を解読した後のデジタルもしくはアナログ映像信号を筐体内部に位置する映像表示部において視覚化するテレビジョン受像機であって、前記筐体蓋の開閉状態を検出する蓋開閉検出器と、前記筐体本体の外部に設けられた入力手段と、前記蓋開閉検出器の出力と前記入力手段からの入力によって前記デコード回路のデコードパラメータを制御するデコード制御回路とを備え、前記蓋開閉検出器の出力が前記筐体蓋が閉じている状態を示すとき、および前記入力手段より所定の入力があったとき前記デコード制御回路がデコード動作を行うパラメータを前記デコード回路へ出力し、前記入力手段より前記所定の入力がなく、かつ前記蓋開閉検出器の出力が前記筐体蓋が開いている状態を示すとき前記デコード制御回路がデコード動作を停止するパラメータを前記デコード回路へ出力する、ことを特徴とするものである。
【００１７】
この発明（請求項３）にかかるテレビジョン受像機は、請求項１または請求項２記載のテレビジョン受像機において、前記蓋開閉検出器は、コード列生成回路と、該コード列生成回路からの電気信号を光へ変換する発光器と、光信号を電気信号へ変換する受光器と、前記筐体蓋が閉じているときに前記発光器から出力された光を前記受光器へ導光する導光器と、前記受光器からの電気信号を復調する復調回路と、前記コード列生成回路と前記復調回路の出力同士を比較し両者が一致するとき前記筐体蓋が閉じている状態を示す信号を出力する比較回路とを備えた、ことを特徴とするものである。
【００１８】
この発明（請求項４）にかかるテレビジョン受像機は、請求項１または請求項２記載のテレビジョン受像機において、前記蓋開閉検出器は、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段とを備えた、ことを特徴とするものである。
【００１９】
この発明（請求項５）にかかる電子デバイス装置は、筐体蓋と筐体本体で囲われた筐体内部に電子デバイスを備えた電子デバイス装置において、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段と、前記蓄電手段が放電された回数を記憶する放電回数記憶手段とを備えた、ことを特徴とするものである。
【００２０】
この発明（請求項６）にかかる電子デバイス装置は、請求項５記載の電子デバイス装置において、前記放電回数記憶手段に記憶された放電回数が所定回数となったときに当該電子デバイス装置の動作を制限する動作制限手段を備えた、ことを特徴とするものである。
【００２１】
この発明（請求項７）にかかる電子デバイス装置は、請求項５記載の電子デバイス装置において、前記筐体内部または前記筐体外部に設けられた表示装置により表示を行なう表示手段と、前記放電回数記憶手段に記憶された放電回数が所定回数となったときに前記表示手段が通常とは異なる表示を行なうように制御する制御手段とを備えた、ことを特徴とするものである。
【００２２】
この発明（請求項８）にかかる電子デバイス装置は、筐体蓋と筐体本体で囲われた筐体内部に自己のＩＤを有する交換可能な電子デバイスを含む電子デバイス装置において、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段と、前記筐体蓋の開閉があったと認識されたときに前記電子デバイスの前記筐体蓋の開閉の前後のＩＤを比較するＩＤ比較手段とを備えた、ことを特徴とするものである。
【００２３】
この発明（請求項９）にかかる電子デバイス装置は、請求項８記載の電子デバイス装置において、前記筐体蓋の開閉の後の前記電子デバイスのＩＤが、前記筐体蓋の開閉の前の前記電子デバイスのＩＤと同じかそれよりも古いＩＤであるとき、当該電子デバイス装置の動作を制限する動作制限手段を備えた、ことを特徴とするものである。
【００２４】
この発明（請求項１０）にかかる電子デバイス装置は、請求項８記載の電子デバイス装置において、前記筐体内部または前記筐体外部に設けられた表示装置により表示を行なう表示手段と、前記筐体蓋の開閉の後の前記電子デバイスのＩＤが、前記筐体蓋の開閉の前の前記電子デバイスのＩＤと同じかそれよりも古いＩＤであるとき、前記表示手段が通常とは異なる表示を行なうように制御する制御手段とを備えた、ことを特徴とするものである。
【発明の効果】
【００２５】
この発明（請求項１）にかかるテレビジョン受像機によれば、暗号化されたデジタル映像信号を筐体蓋と筐体本体で囲われた筐体内部に設けたデコード回路に入力し、前記デコード回路で暗号を解読した後のデジタルもしくはアナログ映像信号を筐体内部に位置する映像表示部において視覚化するテレビジョン受像機であって、前記筐体蓋の開閉状態を検出する蓋開閉検出器と、該蓋開閉検出器の出力に応じて前記デコード回路へ供給される電源電圧を制御するスイッチとを備え、前記蓋開閉検出器の出力が前記筐体蓋が閉じている状態を示すときに前記スイッチを経由して前記デコード回路へ電源を供給し、前記蓋開閉検出器の出力が前記筐体蓋が開いている状態を示すときに前記デコード回路への電源の供給を前記スイッチにより遮断する構成としたから、前記筐体蓋を開けて、前記デコード回路の暗号を解読した後の映像信号を取り出そうとしても、前記筐体蓋を開けた時点で前記デコード回路の出力は停止している状態にあり、不正なコピーを未然に防止することができる効果がある。
【００２６】
また、この発明（請求項２）にかかるテレビジョン受像機によれば、暗号化されたデジタル映像信号を筐体蓋と筐体本体で囲われた内部に設けたデコード回路に入力し、前記デコード回路で暗号を解読した後のデジタルもしくはアナログ映像信号を筐体内部に位置する映像表示部において視覚化するテレビジョン受像機であって、前記筐体蓋の開閉状態を検出する蓋開閉検出器と、前記筐体本体の外部に設けられた入力手段と、前記蓋開閉検出器の出力と前記入力手段からの入力によって前記デコード回路のデコードパラメータを制御するデコード制御回路とを備え、前記蓋開閉検出器の出力が前記筐体蓋が閉じている状態を示すとき、および前記入力手段より所定の入力があったとき前記デコード制御回路がデコード動作を行うパラメータを前記デコード回路へ出力し、前記入力手段より前記所定の入力がなく、かつ前記蓋開閉検出器の出力が前記筐体蓋が開いている状態を示すとき前記デコード制御回路がデコード動作を停止するパラメータを前記デコード回路へ出力する構成としたから、前記筐体蓋を開けた時点で前記デコード回路の出力は停止し不正なコピーを未然に防止しつつ、本発明のテレビジョン受像機の保守を行う者が前記入力手段から前記デコード制御回路へ強制的にデコードパラメータを出力させるコマンドを入力すれば、筐体蓋が開いている状態においても、前記デコード回路の動作を行わせることができ、保守性を保つことができる効果がある。
【００２７】
また、この発明（請求項３）にかかるテレビジョン受像機によれば、請求項１または請求項２記載のテレビジョン受像機において、前記蓋開閉検出器は、コード列生成回路と、該コード列生成回路からの電気信号を光へ変換する発光器と、光信号を電気信号へ変換する受光器と、前記筐体蓋が閉じているときに前記発光器から出力された光を前記受光器へ導光する導光器と、前記受光器からの電気信号を復調する復調回路と、前記コード列生成回路と前記復調回路の出力同士を比較し両者が一致するとき前記筐体蓋が閉じている状態を示す信号を出力する比較回路とを備えた構成としたから、前記筐体蓋を開けた時点で前記デコード回路の出力は停止し不正なコピーを未然に防止しつつ、前記筐体蓋が開いているにも関らず、仮想的に前記筐体蓋が閉じている状態を作り出すためには、テレビジョン受像機の外部で前述のコード列生成回路が生成するコード列と同じコード列を生成して、受光器に入力する必要があるので、仮想的に筐体蓋が閉じている状態を容易には作り出せず、これにより、機器の不正な使用を抑制することができる効果がある。
【００２８】
また、この発明（請求項４）にかかるテレビジョン受像機によれば、請求項１または請求項２記載のテレビジョン受像機において、前記蓋開閉検出器は、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段とを備えた構成としたから、前記筐体蓋を開けた時点で前記デコード回路の出力は停止し不正なコピーを未然に防止しつつ、機器の非通電時に筐体蓋が開けられたことをも検出でき、これにより、機器の不正な使用を抑制することができる効果がある。
【００２９】
また、この発明（請求項５）にかかる電子デバイス装置によれば、筐体蓋と筐体本体で囲われた筐体内部に電子デバイスを備えた電子デバイス装置において、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段と、前記蓄電手段が放電された回数を記憶する放電回数記憶手段とを備えた構成としたから、機器の通電時に筐体蓋が開けられたことのみならず、機器の非通電時に筐体蓋が開けられたことをも検出でき、これにより、機器の不正な使用を抑制することができる効果がある。
【００３０】
また、この発明（請求項６）にかかる電子デバイス装置によれば、請求項５記載の電子デバイス装置において、前記放電回数記憶手段に記憶された放電回数が所定回数となったときに当該電子デバイス装置の動作を制限する動作制限手段を備えた構成としたから、機器の通電時に筐体蓋が開けられたことのみならず、機器の非通電時に筐体蓋が開けられたことをも検出でき、これにより、機器の不正な使用を抑制することができる効果がある。
【００３１】
また、この発明（請求項７）にかかる電子デバイス装置によれば、請求項５記載の電子デバイス装置において、前記筐体内部または前記筐体外部に設けられた表示装置により表示を行なう表示手段と、前記放電回数記憶手段に記憶された放電回数が所定回数となったときに前記表示手段が通常とは異なる表示を行なうように制御する制御手段とを備えた構成としたから、機器の通電時に筐体蓋が開けられたことのみならず、機器の非通電時に筐体蓋が開けられたことをも検出でき、これにより、機器の不正な使用を抑制することができる効果がある。
【００３２】
また、この発明（請求項８）にかかる電子デバイス装置によれば、筐体蓋と筐体本体で囲われた筐体内部に自己のＩＤを有する交換可能な電子デバイスを含む電子デバイス装置において、蓄電手段と、該蓄電手段を充電する充電手段と、前記筐体蓋を開けたときに前記蓄電手段を放電する放電手段と、前記蓄電手段が放電されたことを認識し前記筐体蓋の開放を検出する開放検出手段と、前記筐体蓋の開閉があったと認識されたときに前記電子デバイスの前記筐体蓋の開閉の前後のＩＤを比較するＩＤ比較手段とを備えた構成としたから、ユーザーが電子機器のカバーを開いて筐体内部のデバイスを交換することを許容しつつ、筐体蓋の不正な開閉を検出でき、機器の不正な使用を抑制することができる効果がある。
【００３３】
また、この発明（請求項９）にかかる電子デバイス装置によれば、請求項８記載の電子デバイス装置において、前記筐体蓋の開閉の後の前記電子デバイスのＩＤが、前記筐体蓋の開閉の前の前記電子デバイスのＩＤと同じかそれよりも古いＩＤであるとき、当該電子デバイス装置の動作を制限する動作制限手段を備えた構成としたから、ユーザーが電子機器のカバーを開いて筐体内部のデバイスを交換することを許容しつつ、筐体蓋の不正な開閉を検出でき、機器の不正な使用を抑制することができる効果がある。
【００３４】
また、この発明（請求項１０）にかかる電子デバイス装置によれば、請求項８記載の電子デバイス装置において、前記筐体内部または前記筐体外部に設けられた表示装置により表示を行なう表示手段と、前記筐体蓋の開閉の後の前記電子デバイスのＩＤが、前記筐体蓋の開閉の前の前記電子デバイスのＩＤと同じかそれよりも古いＩＤであるとき、前記表示手段が通常とは異なる表示を行なうように制御する制御手段とを備えた構成としたから、ユーザーが電子機器のカバーを開いて筐体内部のデバイスを交換することを許容しつつ、筐体蓋の不正な開閉を検出でき、機器の不正な使用を抑制することができる効果がある。
【発明を実施するための最良の形態】
【００３５】
以下、本発明の実施の形態を図について説明する。
（実施の形態１）
図１は本発明に実施の形態１によるテレビジョン受像機の構成を示すブロック図であり、図において、１０はテレビジョン受像機の筐体本体、１１はテレビジョン受像機の筐体蓋である。１２は暗号化されたデジタル映像信号を入力する端子であり、筐体本体１０に設けられ、筐体外部からコネクタを介して筐体内部へ映像信号を伝達する。１３は暗号化デジタル映像信号入力端子１２から入力されたデジタル映像信号に対して暗号を解くデコード回路である。１４はデコード回路１３から出力された暗号を解かれた後のデジタル映像もしくはアナログ映像である暗号解読後映像信号、１５は暗号を解かれた後のデジタル映像信号もしくはアナログ映像信号１４を視覚化する映像表示部である。また、１６は筐体蓋１１の開閉状態を検出する蓋開閉検出器、１７は蓋開閉検出器１６の出力信号、２０はデコード回路１３への電源投入を制御するスイッチである。３１はスイッチ２０を経由してデコード回路１３および、映像表示部１５へ電源を供給する電源回路、３０は電源回路３１へ商用電源を供給するＡＣコードである。
【００３６】
尚、デジタル映像信号入力端子１２は筐体本体１０に接して設けられ、デコード回路１３、暗号解読後映像信号１４、映像表示部１５、蓋開閉検出器１６、蓋開閉検出信号１７、スイッチ２０、電源回路３１は、筐体本体１０および筐体蓋１１によって囲まれる筐体内部に配置される。
【００３７】
また、図３は本実施の形態１によるテレビジョン受像機の蓋開閉検出器１６のメカニカル・スイッチの断面図である。図３において、１０４は筐体蓋１１に設けられた突起である。１００はメカニカル・スイッチのケースであり、筐体本体１０に固定されている。１０１は導体で構成した上接点であり、ケース１００の内部を垂直方向に移動できる。１０２は導体で構成した下接点であり、ケース１００の底面に固定されている。１０３は上接点１０１と下接点１０２との間に位置する非導体で構成したバネである。ここで、上接点１０１、下接点１０２、バネ１０３は、ケース１００で囲まれており、筐体蓋１１の突起１０４によって、上接点１０１が押される様にケース１００には窓が開いている。また、突起１０４の垂直方向の長さは、筐体蓋１１が筐体本体１０と嵌合して閉じられている状態において、突起１０４によって、上接点１０１が下方へ押されて下接点１０２と接触する長さとする。
【００３８】
図３において、筐体蓋１１が筐体本体１０と嵌合して閉じられている状態では、上接点１０１と下接点１０２が接触し導通状態となるのに対して、筐体蓋１１が開いている状態では、上接点１０１と下接点１０２はバネ１０３によって接触状態が解かれ、非導通状態となる。
【００３９】
図１に示すテレビジョン受像機に対し、デジタル映像信号入力端子１２よりコピープロテクションなどの暗号化がなされたデジタル映像信号が入力されると、デコード回路１３で暗号を解かれ、コピー可能な状態である暗号解読後映像信号１４を得たのち、映像表示部１５において、暗号解読後映像信号１４を視覚化する。
【００４０】
ここで、筐体蓋１１が閉じられている時には、蓋開閉検出器１６は筐体蓋１１が閉じていることを示す蓋開閉検出信号１７を出力する。スイッチ２０は蓋開閉検出信号１７が筐体蓋１１が閉じていることを示している時は電源回路３１からの電流をデコード回路１３へ通過させる。この結果、筐体蓋１１が閉じられている時には、暗号を解かれた映像が映像表示部１５に現れる。
【００４１】
一方、筐体蓋１１が開かれている状態では、蓋開閉検出器１６によって、筐体蓋１１が開かれていることを示す蓋開閉検出信号１７を出力し、スイッチ２０は電源回路３１からの電流を遮断することで、デコード回路１３の電源を遮断し、デコード回路１３の動作を停止させる。
【００４２】
尚、上記構成では、メカニカル・スイッチによる蓋開閉検出器１６は１つ設けたが、２つ以上のメカニカル・スイッチを筐体本体１０に配置して、複数の蓋開閉検出信号１７の全てが筐体蓋が閉じていることを示す信号である時に筐体蓋が閉じているとしてデコード回路１３を動作させる構成にしても良い。
【００４３】
上記構成および動作によって、暗号解読後映像信号１４を筐体蓋１１を開けて、図１に示す以外の機器へ接続しようとすると、デコード回路１３の動作が停止するため、暗号化されたデジタル映像に対する著作権保護を行うことができる。
【００４４】
このように本実施の形態１によれば、筐体蓋１１の開閉状態を検出する蓋開閉検出器１６と、蓋開閉検出器１６の出力に応じてデコード回路１３へ供給される電源電圧を制御するスイッチ２０とを備え、蓋開閉検出器１６の出力が筐体蓋１１が閉じている状態を示すときに前記スイッチ２０を経由してデコード回路１３へ電源を供給し、蓋開閉検出器１６の出力が筐体蓋１１が開いている状態を示すときにデコード回路への電源の供給をスイッチ２０により遮断する構成としたから、筐体蓋１１を開けて、デコード回路１３の暗号を解読した後の映像信号を取り出そうとしても、筐体蓋１１を開けた時点でデコード回路１３の出力は停止している状態にあり、不正なコピーを未然に防止することができる。
【００４５】
（実施の形態２）
上記実施の形態１に示したテレビジョン受像機では、テレビジョン内部の保守を行うために筐体蓋を開けた場合においても、デコード動作は停止してしまうため、保守性がそこなわれる。本発明の実施の形態２によるテレビジョン受像機は、保守時にはデコード動作を行わせることを可能とできるものである。
【００４６】
図２は本実施の形態２によるテレビジョン受像機の構成を示すブロック図であり、図において図１と同一符号は同一または相当部分であり、その詳細な説明は省略する。
【００４７】
図２において、１８は筐体本体１０の外部に露出した１つ以上の釦であり、４０は蓋開閉検出信号１７と釦群１８からの釦押下信号を入力とし、デコード回路１３へ暗号解読のためのパラメータ４１を出力するデコード制御回路である。
【００４８】
以下、図２を用いて、本発明の実施の形態２の動作を説明する。
上記したテレビジョン受像機に対して、デジタル映像信号入力端子１２にコピープロテクションなど暗号化されたデジタル映像信号が入力されると、デコード回路１３で暗号を解かれ、コピー可能な状態である暗号解読後映像信号１４を得たのち、映像表示部１５において、暗号解読後映像信号１４を視覚化する。
【００４９】
ここで、筐体蓋１１が開けられ、蓋開閉検出信号１７が蓋が開いていることを示す信号になると、デコード制御回路４０は、暗号鍵といった暗号解読に必要なパラメータ４１を無意味なパラメータ４１に変更してデコード回路１３へ出力する。この結果、デコード回路１３の出力である暗号解読後映像信号１４は暗号解読されていない映像信号となる。
【００５０】
一方、保守時には、サービスマンによって、釦群１８から所定のコードを入力する。このコードはデコード制御回路４０へ入力され、デコード制御回路４０では、入力されたコードが当初定めたコードと一致した場合のみ、蓋開閉検出信号１７が蓋が開いていることを示す信号であっても、正規の暗号解読パラメータ４１をデコード回路１３へ出力する。この結果、筐体蓋１１が開いている状態においても、暗号解読は続行され、保守作業を行うことが出来る。
【００５１】
このように、本実施の形態２によれば、筐体蓋１１の開閉状態を検出する蓋開閉検出器１６と、筐体本体１０の外側に設けられた釦群１８と、蓋開閉検出器１６の出力１７と釦群１８からの入力によってデコード回路１３のデコードパラメータを制御するデコード制御回路４０とを備え、蓋開閉検出器１６の出力１７が筐体蓋１１が閉じている状態を示すとき、および釦群１８より所定のコード入力があったときデコード制御回路４０がデコード動作を行うパラメータ４１をデコード回路１３へ出力し、釦群１８より所定のコード入力がなく、かつ蓋開閉検出器１６の出力１７が筐体蓋１１が開いている状態を示すときデコード制御回路４０がデコード動作を停止するパラメータ４１をデコード回路１３へ出力する構成としたから、筐体蓋を開けた時点でデコード回路の出力は停止し不正なコピーを未然に防止しつつ、本発明のテレビジョン受像機の保守を行う者がデコード制御回路へ強制的にデコードパラメータを出力させるコマンドのコードを入力することにより、筐体蓋が開いている状態においても、デコード回路の動作を行わせることができ、保守性を保つことができる。
【００５２】
なお、上記実施の形態２では、筐体本体１０の外側に設けられた釦群１８から所定のコードを入力する構成としたが、デコード制御回路４０に所定のコードを入力する手段は釦群に限るものではなく、赤外線通信等の技術を用いてデコード制御回路４０に所定のコードを入力するなど、他の入力手段によってデコード制御回路４０に所定のコードを入力する構成としてもよい。
【００５３】
（実施の形態３）
上記実施の形態１および実施の形態２に示した蓋開閉検出器の構成では、筐体本体にスイッチが存在していることが分り易く、また、筐体蓋に設けられた突起と同形状の棒状の突起物を筐体本体のスイッチに挿入することで、筐体蓋を開けた状態でも、あたかも筐体蓋が閉じられている状態を作り出すことが可能である。
【００５４】
本発明の実施の形態３によるテレビジョン受像機は、上記課題に鑑み、蓋開閉検出器を変調した光を用いる構成としたものであり、蓋開閉検出器以外の構成は、実施の形態１または、実施の形態２と同一である。
【００５５】
図４は本実施の形態３によるテレビジョン受像機の蓋開閉検出器の構成を示す断面図、図５は本実施の形態３によるテレビジョン受像機の動作を説明するためのブロック図である。
【００５６】
図４において、１０はテレビジョン受像機の筐体本体、１１はテレビジョン受像機の筐体蓋である。２０１は筐体蓋１１の筐体内部側に配置された導光器であり、内部に光を伝達する材質であれば樹脂、ガラスを問わない。また、２０２は発光器であり、電気信号を光信号へ変換するＬＥＤ、電球、レーザーダイオードなどの素子である。２０３はフォトダイオードに代表される光信号を電気信号に変換する受光器である。２０４は発光器２０２、および、受光器２０３を実装するための基板であり、筐体本体１０の内部に位置する。また、発光器２０２および受光器２０３は、その発光面および受光面が、筐体蓋１１側に向けられ、かつ、導光器２０１の２つの端面とそれぞれ同じ軸上に存在する様に配置される。
【００５７】
図５において、２０５は所定の１または０の符号列で構成されるコード列を生成する回路であり、発光器２０２および、後述の比較回路２０７へ出力する。２０６は受光器２０３からの電気信号からコード列を復調する復調回路である。２０７はコード列生成回路２０５で生成したコード列と復調回路２０６で復調したコード列とを比較する比較回路であり、本比較回路の２つの入力コード列が一致した場合は、筐体蓋が閉じていることを意味する信号を、一致しない場合は筐体蓋が開いていることを意味する信号を出力する。
【００５８】
以下、図５、図６を用いて、本実施の形態３によるテレビジョン受像機の蓋開閉検出器の動作について述べる。
まず、コード列生成回路２０５で連続したコード列を生成し、発光器２０２を駆動する。筐体蓋１１が閉じている時は、発光器２０２から発した光信号は、導光器２０１を経由して、受光器２０３へ到達する。受光器２０３は到達した光信号を電気信号へ変換し、復調回路２０６へ入力する。復調回路２０６では、受光器２０３からの電気信号に重畳されているノイズを除去し、比較回路２０７へ出力する。比較回路２０７では、コード生成回路２０５で生成したコード列と、受光器２０３、および、復調回路２０６で到達した光信号を電気信号に変換した後のコード列とを比較し、一致したときのみ、筐体蓋が閉じていることを示す蓋開閉検出信号２０９を出力する。
【００５９】
一方、筐体蓋１１が開いているときは、発光器２０２から発せられた光信号は、受光器２０３へ到達しないため、復調回路２０６の出力コード列とコード列生成回路２０５が出力するコード列とは一致しない。この結果、比較回路２０７の出力である蓋開閉検出信号２０９は筐体蓋が開いていることを示す信号となる。
【００６０】
このように本実施の形態３によれば、実施の形態１、２のテレビジョン受像機において、蓋開閉検出器１６を、コード列生成回路２０５と、コード列生成回路２０５からの電気信号を光へ変換する発光器２０２と、光信号を電気信号へ変換する受光器２０３と、筐体蓋１１が閉じているときに発光器２０２から出力された光を受光器２０３へ導光する導光器２０１と、受光器２０３からの電気信号を復調する復調回路２０６と、コード列生成回路２０５と復調回路２０６の出力同士を比較し両者が一致するとき筐体蓋１１が閉じている状態を示す信号を出力する比較回路２０７とを備えた構成としたから、筐体蓋を開けた時点でデコード回路の出力は停止し不正なコピーを未然に防止しつつ、筐体蓋が開いているにも関らず、仮想的に筐体蓋が閉じている状態を作り出すためには、テレビジョン受像機の外部で前述のコード列生成回路が生成するコード列と同じコード列を生成して、受光器に入力する必要があるので、仮想的に筐体蓋が閉じている状態を容易には作り出せず、これにより、機器の不正な使用を抑制することができる。
【００６１】
なお、上記実施の形態３では、発光器２０２、導光器２０１、および受光器２０３を用いて、筐体蓋が閉じているときに導光器２０１が発光器２０２と受光器２０３を光学的に接続する構成としたが、発光器２０２を電気信号を出力する導体出力端子とし、導光器２０１を電気信号を導通する導体部材とし、受光器２０３を電気信号を入力する導体入力端子として、筐体蓋が閉じているときに導体部材が導体出力端子と導体入力端子を電気的に接続する構成としても良い。
【００６２】
（実施の形態4）
以下本発明の実施の形態4について、図面を参照しながら説明する。
図６は、本実施の形態4によるデジタルテレビジョン受信装置の構成を示す図である。図６において、デジタルテレビジョン受信装置６０１はＢＳデジタル放送及び地上波デジタル放送を受信可能であり、屋外に設置された地上波アンテナ６１４及びＢＳデジタルアンテナ６１５が接続されている。アンテナからの信号はフロントエンド部６０２にて選局及びデジタル復調され、デジタルデコーダ６０４とメモリ６０６を内蔵したデジタルデコーダモジュール６０３にて映像、音声およびその他データの復調が行なわれ、映像信号はディスプレイパネル６１１にて表示され、音声信号はスピーカー６１２にて再生される。また、デジタルデコーダモジュールはＩＣカード６０７とＩＣカードＩ／Ｆ部６０５を介して接続され、限定受信を解除するためのデータ通信を行なう。有料番組を視聴した際の課金情報などはネットワークインターフェース部６１３および外部ネットーワークを介して管理会社（サーバー）へ送られる。デジタルテレビジョン受信装置６０１にはデジタルデコーダモジュール交換用の蓋が設けてありその蓋の開閉検出部６０９にて蓋の開閉を検出しＣＰＵ６０８へ通知し、開閉回数をメモリ６１０に記憶することができる。
【００６３】
図７は図６中の蓋開閉検出部６０９の詳細な構成を示す図である。図７において、図６と同一符号は同一または相当部分であり、７００は筐体本体、７０１は筐体蓋、７０２は蓋開閉検出スイッチ、７０３は充電手段、７０４は蓄電器である。図７（ａ）はデジタルデコーダモジュール交換用の筐体蓋７０１が閉じた状態を表しており、図７（ｂ）は筐体蓋７０１が開いた状態を表している。筐体蓋７０１はユーザーによって開閉できる構造となっており、ユーザーは触ることができない場所に筐体蓋７０１の開閉を検出する機械的スイッチである蓋開閉検出スイッチ７０２が設けられている。蓋開閉検出部６０９は蓄電器７０４とその蓄電器に充電を行なう充電手段７０３を備えており、ＣＰＵ６０８は蓄電器７０４に蓄電された電圧を検出しメモリ６１０へ検出した回数を記憶することができる。また、蓄電器７０４はデジタルテレビジョン受信装置６０１の電源が遮断された状態でも電圧を保持することができる。蓋開閉検出スイッチ７０２は筐体蓋を開閉したときの機械的な動きに応じて回路を接／断する機械的スイッチであればどのような形状のものであってもよく、また、蓋開閉検出スイッチの位置はユーザーが触れることのできない位置にあれば機器内のどこに配置されてもよい。また、筐体蓋の形状は図７に示すような扉式のものに限られるものではなく、筐体蓋を開閉したときの機械的な動きによって上述のような機械的スイッチを作動させることができるものであれば、例えば機器のバックカバー全体が筐体蓋であるもの等、筐体蓋は他の形状であってもよい。
【００６４】
次に本実施の形態４によるテレビジョン受信装置の動作について説明する。
筐体蓋７０１が閉じた状態では蓋開閉検出スイッチ７０２が開放状態となっているため蓄電器７０４は蓄電され、ＣＰＵ６０８は蓋７０１が閉じていると検出することができる。筐体蓋７０１が開くと蓋開閉検出スイッチ７０２がアースと接続状態となり、蓄電器にたまった電荷が直ちに放電されることによりＣＰＵ６０８は蓋が開いたことを検出することができる。デジタルテレビジョン受信装置６０１が通電状態のときは常にＣＰＵ６０８が蓄電器７０４の電圧を監視しているためリアルタイムに筐体蓋７０１の開閉を検出することができる。
【００６５】
一方、ＣＰＵ６０８は、デジタルテレビジョン受信装置６０１が非通電状態から通電された際に、まず蓄電器７０４の電圧を調べるようプログラミングされている。デジタルテレビジョン受信装置６０１が非通電状態のときに筐体蓋の開閉が行なわれた場合は、蓄電器７０４の電荷がなくなっており、ＣＰＵ６０８はこれを検知して、非通電時に蓋の開閉が行なわれたことを検出することができる。図９はデジタルテレビジョン受信装置６０１が非通電状態から通電された際の動作を示すフローチャート図である。デジタルテレビジョン受信装置６０１が非通電状態から通電されると（ステップ９０１）、ＣＰＵ６０８はまず蓄電器７０４の電圧を調べ（ステップ９０２）、電圧がHighであれば筐体蓋７０１は開けられていないと判断し（ステップ９０３）、動作を終了する。一方、ステップ９０２において蓄電器７０４の電圧がLowであれば、ＣＰＵ６０８は充電手段７０３を用いて蓄電器７０４を充電し（ステップ９０４）、その後再び蓄電器７０４の電圧を調べ（ステップ９０５）、電圧がHighであれば筐体蓋７０１は１回開けられた後に閉じられた、と判断し（ステップ９０６）、動作を終了する。一方、ステップ９０５において蓄電器７０４の電圧がLowであれば、筐体蓋７０１が開けっぱなしである、と判断し（ステップ９０７）、動作を終了する。
【００６６】
図８は、蓋開閉検出、開閉回数の記憶及び不正開閉時のデータ保護のアルゴリズムを示したものである。ＣＰＵ６０８が蓋７０１の開閉を検出した場合（ステップ８０２）、その開閉回数をカウントしメモリ６１０へ記憶する（ステップ８０３）。ＣＰＵ６０８はデジタルデコーダモジュール６０３のＩＤをデジタルデコーダモジュール６０３内のメモリ６０６から読み出し（ステップ８０４）、蓋開閉前のＩＤと比較し（ステップ８０５）、ＩＤが新しければ（ステップ８０５のＹ）がユーザーによってデジタルデコーダモジュールが正規に交換されたと判断し蓋の開閉回数をクリアし（ステップ８０６）蓋開閉検出の状態に戻る。ステップ８０５でＩＤが同じか古い場合またはＩＤが読み出せない場合は不正規に蓋を開閉したと判断し（ステップ８０５のＮ）累積の開閉回数を確認し（ステップ８０７）開閉回数が３回以下であった場合は（ステップ８０７のＹ）ユーザーに蓋の不要な開閉を行なわないよう警告文を画面に表示し（ステップ８０８）蓋開閉検出の状態に戻る。 ステップ８０７で累積開閉回数が３回より多かった場合（ステップ８０７のＮ）、蓋を不正開閉したと判断しそれをメモリ６１０へ記憶し（ステップ８０９）、あらかじめメモリ６１０に記憶されている製品ＩＤをネットワークインターフェース部６１３から外部ネットワークを介してサーバーに通知する（ステップ８１０）と同時にデジタルテレビジョン受信装置を有料番組等を視聴できない限定動作モードにすることを画面で通知し（ステップ８１１）、デジタルテレビジョン受信装置を強制的に限定動作モードで再起動させ（ステップ８１２）、蓋の開閉回数をクリアし（ステップ８１３）蓋開閉検出の状態に戻る。限定動作モードはユーザーがサーバーを管理している管理会社へ電話をかけ、限定動作モード解除依頼をすることで初めて解除される。
【００６７】
このように、本実施の形態４によれば、筐体蓋と筐体本体で囲われた筐体内部に自己のＩＤを有する交換可能なデコーダモジュールを含むデジタルテレビジョン受信装置において、蓋開閉検出部６０９を、蓄電器７０４と、蓄電器７０４を充電する充電手段７０３と、筐体蓋７０１を開けたときに蓄電器７０４を放電するスイッチ手段７０２で構成し、ＣＰＵ６０８により蓄電器７０４が放電されたことを認識して筐体蓋７０１の開放を検出し、筐体蓋の開閉があったと認識されたときにデコーダモジュール６０３の筐体蓋の開閉の前後のＩＤを比較するとともに、蓄電器７０４が放電された回数をメモリ６１０に記憶しておき、上記ＩＤの比較結果および蓄電器７０４の放電回数に基づいて、デジタルテレビジョン受信装置の動作を制御するようにしたから、ユーザーが電子機器のカバーを開いて筐体内部のデバイスを交換することを許容しつつ、筐体蓋の不正な開閉を検出でき、機器の不正な使用を抑制することができる効果がある。
【００６８】
なお、上記実施の形態４の説明では、蓋を不正規に開閉した累積回数が３回以上であるときに機器の動作の制限をかけるようにしているが、動作の制限をかけるまでの累積開閉回数は３回に限定するものではなく機器によって各々決められてよいものとする。例えば、データの機密度が高い機器の場合は１回の不正検出で機器の動作を制限させてもよいし、逆に機密度が低い機器の場合は５回の不正検出までは許可するよう設定してもよい。
【００６９】
また、上記実施の形態４では、デジタルテレビジョン受信装置に適用したものについて説明したが、本発明は、デジタルテレビジョン受信装置のみならず、ユーザーに機器の開閉を許可しかつデータの漏洩を防止する必要のある電子機器全てに対して適用可能である。
【００７０】
また、本発明は、かかる電子機器において、動作の制限をかけるまでの累積開閉回数を1回にすることにより、ユーザーに一切機器の開閉を許可しない電子機器における機器の改ざん防止装置として利用できるものである。
【００７１】
さらに、本実施の形態４において、蓋開閉検出部６０９を、蓄電器７０４と、蓄電器７０４を充電する充電手段７０３と、筐体蓋７０１を開けたときに蓄電器７０４を放電するスイッチ手段７０２で構成し、ＣＰＵ６０８により蓄電器７０４が放電されたことを認識して筐体蓋７０１の開放を検出する構成については、これを上記実施の形態１，２のテレビジョン受像機の蓋開閉検出器１６として用いることができるものであり、かかる構成とした場合には、前記筐体蓋を開けた時点で前記デコード回路の出力は停止し不正なコピーを未然に防止しつつ、機器の非通電時に筐体蓋が開けられたことをも検出でき、これにより、機器の不正な使用を抑制することができるものである。
【産業上の利用可能性】
【００７２】
本発明のテレビジョン受像機によれば、筐体蓋を開けて、デコード回路の暗号を解読した後の映像信号を取り出そうとしても、筐体蓋を開けた時点でデコード回路の出力は停止している状態にあり、不正なコピーを未然に防止しつつ、本発明のテレビジョン受像機の保守を行う者が１つ以上の釦からデコード制御回路へ強制的にデコードパラメータを出力させるコマンドを入力すれば、筐体蓋が開いている状態においても、デコード回路の動作を行わせることができ、保守性を保つことができる。
【００７３】
また、筐体蓋開閉検出に光を用いることで、筐体蓋が開いているにも関らず、仮想的に筐体蓋が閉じている状態を作り出すためには、本発明のテレビジョン受像機の外部でコード列生成回路と同じコード列を生成し、受光器に入力する必要があるため、容易に前述の状態を作り出せない利点があり、暗号化されたデジタル映像信号を解読した後のデジタル映像信号、もしくは、アナログ映像信号に対して著作権保護を図るテレビジョン受像機等として有用である。
【００７４】
さらに、ユーザーが電子機器のカバーを開いて筐体内部のデバイスを交換する場合に、デジタルテレビジョン受信装置内のデータの漏洩を効果的に防ぐことのできるテレビジョン受信装置を提供することができる。
【図面の簡単な説明】
【００７５】
【図１】図１は本発明の実施の形態１によるテレビジョン受像機の構成を示すブロック図である。
【図２】図２は本発明の実施の形態２によるテレビジョン受像機の構成を示すブロック図である。
【図３】図３は本発明のテレビジョン受像機の筐体蓋の開閉状態を検出するメカニカル・スイッチの断面図である。
【図４】図４は本発明の実施の形態３によるテレビジョン受像機の光を用いた蓋開閉検出手段の構成を示す断面図である。
【図５】図５は本発明の実施の形態３によるテレビジョン受像機の光を用いた蓋開閉検出手段の動作を説明するための図である。
【図６】図６は本発明の実施の形態４によるテレビジョン受信装置の構成を示すブロック図である。
【図７】図７は本発明の実施の形態４によるテレビジョン受信装置の蓋開閉検出部の構成および動作を説明するための図である。
【図８】図８は本発明の実施の形態４によるテレビジョン受信装置の動作を説明するためのフローチャート図である。
【図９】図９は本発明の実施の形態４によるテレビジョン受信装置における開閉履歴の検出動作を説明するためのフローチャート図である。
【図１０】図１０は従来のコピー防止装置を説明するためのブロック図である。
【符号の説明】
【００７６】
１０    本発明のテレビジョン受像機の筐体本体
１１    本発明のテレビジョン受像機の筐体蓋
１２    暗号化されたデジタル映像信号入力端子
１３    デコード回路
１４    暗号を解かれた後のデジタル映像もしくはアナログ映像信号
１５    映像表示部
１６    蓋開閉検出器
１７    蓋開閉検出信号
１８    釦群
２０    電源投入制御スイッチ
３０    ＡＣコード
３１    電源回路
４０    デコード制御回路
１００    メカニカル・スイッチのケース
１０１    上接点
１０２    下接点
１０３    非導体で構成したバネ
１０４    筐体蓋１１に設けられた突起
２０１    導光器
２０２    発光器
２０３    受光器
２０４    基板
２０５    コード列生成回路
２０６    復調回路
２０７    比較回路
６０１    デジタルテレビジョン受信装置
６０２    フロントエンド部
６０３    デジタルデコーダモジュール
６０４    デジタルデコーダ
６０５    ＩＣカードＩ／Ｆ部
６０６    メモリ
６０７    ＩＣカード
６０８    ＣＰＵ
６０９    蓋開閉検出部
６１０    メモリ
６１１    ディスプレイパネル部
６１２    スピーカー
６１３    ネットワークインターフェース部
６１４    地上波アンテナ
６１５    ＢＳデジタルアンテナ
６１６    外部ネットワーク
７００    筐体本体
７０１    筐体蓋
７０２    蓋開閉検出スイッチ
７０３    充電手段
７０４    蓄電器
【図１】
0004358854.tif 000002
【図２】
0004358854.tif 000003
【図３】
0004358854.tif 000004
【図４】
0004358854.tif 000005
【図５】
0004358854.tif 000006
【図６】
0004358854.tif 000007
【図７】
0004358854.tif 000008
【図８】
0004358854.tif 000009
【図９】
0004358854.tif 000010
【図１０】
0004358854.tif 000011